(57)【要約】  【課題】複数の入室管理装置などの通行管理装置が設けられている場合に、通行者に通行することのできる通行管理装置を案内する機能を備えた通行管理システムを提供する。  【解決手段】管理区域１０の入口に設置されたカードリーダユニット２で入場可能なカードが読み取られると、電気錠４ｐが解錠されと共に、部屋１２ａ〜１２ｆのうちで当該カードによって次に入室可能な部屋を示す案内メッセージがカードリーダユニット２の液晶パネルに表示される。さらに、次に入室可能な部屋のカードリーダユニット３の発光パネルが所定時間だけ点滅する。カード利用者は、液晶パネルの案内メッセージおよび発光パネルの点滅を見て、カードを入室可能な部屋１２の入口に設置されたカードリーダユニット３で読み取らせる。また、制御ユニット５には、部屋１２ａ〜１２ｆごとに入室可能なカードのカード番号が登録されている。【選択図】  図１
2006016847.tif 000002
【特許請求の範囲】
【請求項１】
通行媒体に記録された情報を読み取る読み取り部と、表示部と、当該通行媒体の利用者の通行を規制する扉と、を備え、当該読み取り部で読み取られた情報に基づいて当該扉による通行規制を解除することにより当該利用者の通行を許容する複数の通行管理装置からなる通行管理システムにおいて、
前記複数の通行管理装置は、複数の通行管理装置のうちの１つの通行管理装置を通行した後に他の通行管理装置を通行できるように配置され、
前記１つの通行管理装置の読み取り部で前記通行媒体が読み取られ、当該通行媒体による前記利用者の通行が許容される場合には、当該通行管理装置の表示部に、前記他の通行管理装置のうちで当該通行媒体による通行が許容される通行管理装置を示すメッセージを表示することを特徴とする通行管理システム。
【請求項２】
請求項１に記載の通行管理システムにおいて、
前記１つの通行管理装置の読み取り部で前記通行媒体が読み取られ、当該通行媒体による前記利用者の通行が許容される場合には、当該通行管理装置の表示部に前記メッセージを表示するか否かにかかわらず、
前記他の通行管理装置のうちで当該通行媒体による通行が許容される通行管理装置の表示部に、当該通行媒体による通行が許容される旨を表示することを特徴とする通行管理システム。
【請求項３】
通行媒体に記録された情報を読み取る読み取り部と、表示部と、当該通行媒体の利用者の通行を規制する扉と、を備え、当該読み取り部で読み取られた情報に基づいて当該扉による通行規制を解除することにより当該利用者の通行を許容する複数の通行管理装置からなる通行管理システムにおいて、
前記複数の通行管理装置のうちの１つの通行管理装置の読み取り部で前記通行媒体が読み取られた場合には、当該通行管理装置の表示部に、他の通行管理装置のうちで当該通行媒体による通行が許容される通行管理装置を示すメッセージを表示することを特徴とする通行管理システム。
【請求項４】
請求項３に記載の通行管理システムにおいて、
前記１つの通行管理装置の読み取り部で前記通行媒体が読み取られた場合には、当該通行管理装置の表示部に前記メッセージを表示するか否かにかかわらず、
前記他の通行管理装置のうちで当該通行媒体による通行が許容される通行管理装置の表示部に、当該通行媒体による通行が許容される旨を表示することを特徴とする通行管理システム。
【請求項５】
請求項３に記載の通行管理システムにおいて、
前記１つの通行管理装置の読み取り部で前記通行媒体が読み取られた場合には、当該通行管理装置の表示部に前記メッセージを表示するか否かにかかわらず、
当該通行管理装置の表示部に当該通行媒体を特定する表示を行い、前記他の通行管理装置のうちで当該通行媒体による通行が許容される通行管理装置の表示部に、当該通行媒体による通行が許容される旨を前記特定する表示に対応付けて表示することを特徴とする通行管理システム。
【発明の詳細な説明】
【技術分野】
【０００１】
本発明は、入室管理システム、通行ゲートシステムなどの通行管理システムに関する。
【背景技術】
【０００２】
近年、建物内や部屋内などの機密保持等の目的で、建物や部屋への入室を特定の個人にしか許可しないように管理する入室管理装置を設置することが多くなってきた。この入室管理装置では、部屋の入口に入室用のＩＣカードを読み取るカードリーダを設けると共に、部屋の扉を電気錠で施錠する。そして、カードリーダで正当なＩＣカードが読み取られると、電気錠が解錠される。また、建物内の各フロアに多数の入室管理装置を設け、多数の入室管理装置を１台のホストコンピュータで管理するとホストコンピュータに多大な負担がかかることから、ホストコンピュータにかかる負担を軽減する方法も提案されている（例えば、特許文献１）。
【０００３】
【特許文献１】特開平７−４２４２７号公報（段落０００１〜０００６、段落００１５〜００１８）
【発明の開示】
【発明が解決しようとする課題】
【０００４】
上記のように、１つのフロアに入室管理装置で入室管理される部屋が多くあるような場合、受付で入室カードを渡された外来者などは、受付で部屋の場所を教えてもらっても、部屋のあるフロアに着いた時点では不確かな記憶のために入室すべき部屋が分からなくなることがある。また、社員などであっても同様な問題を経験することもある。
【０００５】
本発明は、上記問題点を解決するものであって、その課題とするところは、複数の入室管理装置、通行ゲート装置などの通行管理装置が設けられている場合に、通行者に通行することのできる通行管理装置を案内する機能を備えた通行管理システムを提供することにある。
【課題を解決するための手段】
【０００６】
第１の発明の通行管理システムでは、通行媒体に記録された情報を読み取る読み取り部と、表示部と、当該通行媒体の利用者の通行を規制する扉と、を備え、当該読み取り部で読み取られた情報に基づいて当該扉による通行規制を解除することにより当該利用者の通行を許容する複数の通行管理装置からなる通行管理システムにおいて、複数の通行管理装置は、複数の通行管理装置のうちの１つの通行管理装置を通行した後に他の通行管理装置を通行できるように配置され、上記１つの通行管理装置の読み取り部で通行媒体が読み取られ、当該通行媒体による利用者の通行が許容される場合には、当該通行管理装置の表示部に、上記他の通行管理装置のうちで当該通行媒体による通行が許容される通行管理装置を示すメッセージを表示する。
【０００７】
このようにすることで、１つの通行管理装置の表示部に、当該通行管理装置を通行した後に通行できる他の通行管理装置を示すメッセージが表示される。すなわち、次に通行できる通行管理装置が案内される。これにより、通行媒体の利用者は、次に通行できる通行管理装置を容易に知ることができ、通行する通行管理装置を忘れてしまったような場合であっても、間違うことなく次に通行できる通行管理装置に行くことができる。尚、上記の「他の通行管理装置のうちで当該通行媒体による通行が許容される通行管理装置を示すメッセージ」とは、例えば、通行が許容される通行管理装置の番号や位置などを示すメッセージ、または当該通行管理装置で通行が管理される部屋の番号や位置などを示すメッセージである。
【０００８】
第１の発明の実施形態においては、上記１つの通行管理装置の読み取り部で通行媒体が読み取られ、当該通行媒体による利用者の通行が許容される場合には、当該通行管理装置の表示部に上記メッセージを表示するか否かにかかわらず、上記他の通行管理装置のうちで当該通行媒体による通行が許容される通行管理装置の表示部に、当該通行媒体による通行が許容される旨を表示するようにすることができる。
このように、１つの通行管理装置の表示部に、他の通行管理装置のうちで当該通行媒体による通行が許容される通行管理装置を示すメッセージを表示しない場合には、他の通行管理装置のうちで当該通行媒体による通行が許容される通行管理装置の表示部に、当該通行媒体による通行が許容される旨を表示するので、通行媒体の利用者は、他の通行できる通行管理装置を容易に知ることができる。「当該通行媒体による通行が許容される旨」の表示は、例えば、当該通行管理装置の表示部を点滅させる、あるいは高い輝度の目立つ色で点灯させることなどにより行われる。そして、この表示によって、他の通行できる通行管理装置が案内される。
一方、１つの通行管理装置の表示部に、他の通行管理装置のうちで当該通行媒体による通行が許容される通行管理装置を示すメッセージを表示すると共に、他の通行管理装置のうちで当該通行媒体による通行が許容される通行管理装置の表示部にも、当該通行媒体による通行が許容される旨を表示する場合は、通行媒体の利用者は、他の通行できる通行管理装置を一層容易に知ることができる。
【０００９】
第２の発明の通行管理システムでは、通行媒体に記録された情報を読み取る読み取り部と、表示部と、当該通行媒体の利用者の通行を規制する扉と、を備え、当該読み取り部で読み取られた情報に基づいて当該扉による通行規制を解除することにより当該利用者の通行を許容する複数の通行管理装置からなる通行管理システムにおいて、複数の通行管理装置のうちの１つの通行管理装置の読み取り部で通行媒体が読み取られた場合には、当該通行管理装置の表示部に、他の通行管理装置のうちで当該通行媒体による通行が許容される通行管理装置を示すメッセージを表示する。
【００１０】
このようにすることで、１つの通行管理装置の表示部に、他の通行管理装置のうちで当該通行媒体による通行が許容される通行管理装置を示すメッセージが表示される、すなわち、他の通行できる通行管理装置が案内される。これにより、通行媒体の利用者は、他の通行できる通行管理装置を容易に知ることができ、通行する通行管理装置を忘れてしまい、間違った通行管理装置で通行媒体を読み取らせたような場合には、当該通行媒体で通行できる他の通行管理装置に行くことができる。尚、上記の「他の通行管理装置のうちで当該通行媒体による通行が許容される通行管理装置を示すメッセージ」とは、例えば、通行が許容される通行管理装置の番号や位置などを示すメッセージ、または当該通行管理装置で通行が管理される部屋の番号や位置などを示すメッセージである。
【００１１】
第２の発明の実施形態においては、上記１つの通行管理装置の読み取り部で通行媒体が読み取られた場合には、当該通行管理装置の表示部に上記メッセージを表示するか否かにかかわらず、上記他の通行管理装置のうちで当該通行媒体による通行が許容される通行管理装置の表示部に、当該通行媒体による通行が許容される旨を表示するようにすることができる。
このように、１つの通行管理装置の表示部に、他の通行管理装置のうちで当該通行媒体による通行が許容される通行管理装置を示すメッセージを表示しない場合には、他の通行管理装置のうちで当該通行媒体による通行が許容される通行管理装置の表示部に、当該通行媒体による通行が許容される旨を表示するので、通行媒体の利用者は、他の通行できる通行管理装置を容易に知ることができる。「当該通行媒体による通行が許容される旨」の表示は、例えば、当該通行管理装置の表示部を点滅させる、あるいは高い輝度の目立つ色で点灯させることなどにより行われる。そして、この表示によって、他の通行できる通行管理装置が案内される。
一方、１つの通行管理装置の表示部に、他の通行管理装置のうちで当該通行媒体による通行が許容される通行管理装置を示すメッセージを表示すると共に、他の通行管理装置のうちで当該通行媒体による通行が許容される通行管理装置の表示部にも、当該通行媒体による通行が許容される旨を表示する場合は、通行媒体の利用者は、他の通行できる通行管理装置を一層容易に知ることができる。
【００１２】
また、第２の発明の実施形態においては、上記１つの通行管理装置の読み取り部で通行媒体が読み取られた場合には、当該通行管理装置の表示部に上記メッセージを表示するか否かにかかわらず、当該通行管理装置の表示部に当該通行媒体を特定する表示を行い、上記他の通行管理装置のうちで当該通行媒体による通行が許容される通行管理装置の表示部に、当該通行媒体による通行が許容される旨を上記特定する表示に対応付けて表示するようにすることができる。
このようにすることで、１つの通行管理装置で読み取られた通行媒体と、他の通行管理装置のうちで当該通行媒体による通行が許容される通行管理装置の表示部に表示される、当該通行媒体による通行が許容される旨の表示とが対応付けられる。これにより、例えば、第１および第２通行管理装置で第１および第２通行媒体がそれぞれ略同時に読み取られたような場合であっても、第１通行媒体による通行が許容される旨と第２通行媒体による通行が許容される旨とが識別可能に表示されるので、第１および第２通行媒体の利用者は、他の通行できる通行管理装置を間違えることがない。
【発明の効果】
【００１３】
本発明によれば、複数の通行管理装置のうちで通行者が通行できる通行管理装置が通行者に対して案内されるので、通行者は間違うことなく通行できる通行管理装置に行くことができる。
【発明を実施するための最良の形態】
【００１４】
以下、図面を参照して本発明の第１の実施形態を説明する。図１は本発明に係る通行管理システムを示す図である。図２は管理区域の入口に設置されるカードリーダユニットの外観を示す正面図である。図３は部屋の入口に設置されるカードリーダユニットの外観を示す正面図である。図４は制御ユニットのブロック図である。
【００１５】
図１において、１２ａ〜１２ｆは機密保持等の目的で入室管理のされる部屋、１３ａ〜１３ｆは部屋１２ａ〜１２ｆの扉、３ａ〜３ｆは部屋１２ａ〜１２ｆの入口に設置されたカードリーダユニット、４ａ〜４ｆは扉１３ａ〜１３ｆを施錠・解錠する電気錠である。１０は機密保持等の目的で入室（入場）管理が行われる建物内の管理区域であり、部屋１２ａ〜１２ｆおよび通路１１を含む。２は管理区域１０の入口に設置されたカードリーダユニット、１３ｐは管理区域１０の入口の扉であり、４ｐは扉１３ｐを施錠・解錠する電気錠である。電気錠４は、扉１３を施錠・解錠する錠機構と錠機構の駆動回路などからなる。電気錠４が解錠されると、扉１３を矢印で示すように開けることができる。５はカードリーダユニット２，３および電気錠４を制御する制御ユニットである。本発明に係る通行管理システムは、上記のカードリーダユニット２，３、電気錠４、扉１３および制御ユニット５で構成される。また、個々のカードリーダユニット３など、例えば、カードリーダユニット３ａ、電気錠４ａ、扉１３ａおよびそれらを制御する制御ユニット５の該当部分が通行管理装置に相当する。
【００１６】
管理区域１０の入口に設置されるカードリーダユニット２の本体２０内には、カードリーダ２２が内蔵されている。図２の破線はカードリーダ２２の外形、すなわちカードリーダ２２のアンテナコイルのアンテナ面の外形を示す。カードリーダ２２は、アンテナコイル、アンテナコイルに接続された送受信回路、メモリー、および制御回路などから構成される。アンテナコイルおよびＩＣチップを内蔵した、非接触型の通行媒体であるカード１が、カードリーダ２２のアンテナコイルの前面にかざされると、カード１に記録されているカード情報が読み取られる。読み取られたカード情報はカードリーダ２２のメモリーに一時的に保存され、その後、制御ユニット５に送信される。
【００１７】
上記のカード情報には、通行管理システムで使用されるカードであることを示すカード固有情報、カード番号などが含まれる。入室するときに使用することのできるカード１（以下、入室可能なカード１という）であるか、または使用することのできないカード１（以下、入室不可能なカード１という）であるかを判定する際に、上記のカード固有情報なども調べるが、本発明の直接的事項ではないので、以下ではカード番号のみが判定の対象であるとして説明する。
【００１８】
カードリーダユニット２の本体２０の表面には、各種のメッセージを表示する液晶パネル２１、管理領域１０へ入場可能なカード１がカードリーダ２２で読み取られたときに緑色で点灯するＯＫランプ２３、管理領域１０へ入場不可能なカード１がカードリーダ２２で読み取られたときに赤色で点灯するＮＧランプ２４、および電源が投入されていることを示すパワーランプ２５が設けられている。上記の液晶パネル２１、ＯＫランプ２３およびＮＧランプ２４が本発明の表示部に相当する。
【００１９】
部屋１２の入口に設置されるカードリーダユニット３の本体３０内にも、カードリーダ３２が内蔵されている。図３の破線はカードリーダ３２の外形、すなわちカードリーダ３２のアンテナコイルのアンテナ面の外形を示す。このカードリーダ３２の構成および機能は上述のカードリーダ２２と同じである。尚、カード１からカード情報を実際に読み取るのはカードリーダ２２，３２であるが、説明の都合上、カードリーダユニット２，３がカード１からカード情報を読み取ると記載することもある。また、カードリーダユニット３の本体３０の表面には、発光パネル３１および電源が投入されていることを示すパワーランプ３３が設けられている。この発光パネル３１が本発明の表示部に相当する。
【００２０】
発光パネル３１は、カードリーダ３２のアンテナコイルのアンテナ面の上面（図３の手前側）に配置されており、発光パネル３１の、例えば右側端面に沿って多数の赤色発光ダイオード、緑色発光ダイオードおよび青色発光ダイオード（不図示）が設けられている。そして、各色の発光ダイオードに流す電流量を変えることによって、１６種類程度の色で発光パネル３１を点灯または点滅させたり、輝度を変えることができるようになっている。この発光パネル３１は、入室可能なカード１がカードリーダ３２で読み取られると緑色で点灯し、入室不可能なカード１がカードリーダ３２で読み取られると赤色で点灯する。すなわち、発光パネル３１は、上記のＯＫランプ２３とＮＧランプ２４との機能を兼ね備える。また、発光パネル３１は、上記の緑色および赤色での点灯よりも強い輝度の、例えばオレンジ色で点滅する。この点については後述する。
【００２１】
上記のカードリーダユニット２，３および電気錠４は、信号線６を介して制御ユニット５に接続されている。例えば、カードリーダユニット２でカード１のカード情報が読み取られると、読み取られたカード情報は制御ユニット５へ送信され、制御ユニット５でカード情報の内容、すなわちカード番号が調べられる。その結果、制御ユニット５が扉１３ｐを開けてもよいと判断したときは、ＯＫランプ２３を点灯させる信号および図５（ａ）に示す案内メッセージを液晶パネル２１に表示させる信号をカードリーダユニット２に送信すると共に、電気錠４ｐに解錠信号を送信する。解錠信号を受信すると、電気錠４ｐは解錠される。尚、扉１３ｐには不図示のマグネットセンサが設けられている。扉１３ｐが開状態から閉状態へ変化したことがマグネットセンサで検出されると、検出信号が制御ユニット５に送信され、制御ユニット５から電気錠４ｐへ施錠信号が送信される。
【００２２】
図４に示す制御ユニット５は、ＣＰＵ５０、メモリー５１、操作部５２、表示器５３、カードリーダユニットＩ／Ｆ回路５４、電気錠Ｉ／Ｆ回路５５および時計回路５６を備える。メモリー５１には、ＣＰＵ５０が実行するプログラム、入室可能なカード１のカード番号が登録されたテーブル（以下、カード番号テーブルという）、カード１の使用履歴などが格納されている。カード番号テーブルにカード番号を登録するときには、操作部５２のテンキーなどを用いてカード番号が入力される。そのとき、入力されたカード番号が表示器５３に表示される。また、操作部５２のキーからの指示に従って、所定のカード１の使用履歴を表示器５３に表示させることもできる。この使用履歴には、カード１がカードリーダユニット２，３で読み取られるたびに、カード番号と時計回路５６から読み出された日時データとが記録される。また、カードリーダユニットＩ／Ｆ回路５４および電気錠Ｉ／Ｆ回路５５は、それぞれカードリーダユニット２，３および電気錠４に対する通信インターフェイス用の回路である。
【００２３】
図６は上記のカード番号テーブルの一例を示す図である。このカード番号テーブル８１には、管理区域１０に入場可能なカード１のカード番号および当該カード番号のカード１で各部屋１２ａ〜１２ｆに入室できるか（入室可）否か（入室不可）が登録されている。ここで、カード番号１００１のカード１は、管理区域１０に入場可能なカードであるが、部屋１２には入室不可能なカードである。このカード１は、例えば、受付係が部屋１２の扉１３をノックして部屋１２の中にいる人を呼び出すときに、管理区域１０に入場するためのカードとして使用される。また、カード番号２００１のカード１は部屋１２ａにのみ入室可能なカードであり、カード番号２００３のカード１は部屋１２ｃにのみ入室可能なカードであり、カード番号２００５のカード１は部屋１２ｅおよび１２ｆに入室可能なカードである。以下では、カード番号テーブル８１が制御ユニット５のメモリー５１に格納されているものとして説明する。
【００２４】
図７は通行管理システムの動作を示すフローチャートである。図７に示す動作は、制御ユニット５のメモリー５１に格納されたプログラムをＣＰＵ５０が実行することによって実現される。まず、カードリーダユニット２または３が読み取ったカード情報を受信するまで受信の有無を繰返し確認する（Ｓ１）。カード情報を受信すると（Ｓ１：ＹＥＳ）、管理区域１０の入口に設置されたカードリーダユニット２または部屋１２の入口に設置されたカードリーダユニット３のいずれからカード情報を受信したかを調べる（Ｓ２）。
【００２５】
管理区域１０の入口のカードリーダユニット２からカード情報を受信した場合は（Ｓ２：ＹＥＳ）、カード情報中のカード番号がカード番号テーブル８１に登録されているかを調べることによって、管理区域１０へ入場可能なカード１が読み取られたか否かを判定する（Ｓ３）。入場可能なカード１ではない場合は（Ｓ３：ＮＯ）、読み取られたカード１が入場不可能なカードであることを示すために、制御ユニット５はＮＧランプ２４を点灯させる信号をカードリーダユニット２に送信し（Ｓ１０）、Ｓ１に戻る。入場可能なカード１である場合は（Ｓ３：ＹＥＳ）、読み取られたカード１が入場可能なカードであることを示すために、制御ユニット５はＯＫランプ２３を点灯させる信号をカードリーダユニット２に送信する（Ｓ４）。
【００２６】
次に、カード番号テーブル８１を調べることによって、次に入室可能な部屋１２があるか否かを判定する（Ｓ５）。次に入室可能な部屋１２とは、管理区域１０の入口の扉１３ｐを通行した後に入室することのできる部屋１２である。次に入室可能な部屋１２がある場合（Ｓ５：ＹＥＳ）は、制御ユニット５は、次に入室可能な部屋１２を液晶パネル２１に表示させる（Ｓ６）。具体的には、制御ユニット５は、次に入室可能な部屋１２を液晶パネル２１に表示させる信号をカードリーダユニット２に送信する。例えば、受信したカード情報中のカード番号が２００５である場合は、部屋１２ｅおよび１２ｆが入室可能であるので、図５（ａ）に示す案内メッセージが液晶パネル２１に表示される。また、図５（ｃ）に示す案内メッセージのように、各部屋１２の位置と各部屋１２の入室の可否とを図式的に表示するようにしてもよい。
【００２７】
さらに、次に入室可能な部屋１２のカードリーダユニット３の発光パネル３１を点滅させる（Ｓ７）。具体的には、制御ユニット５は、次に入室可能な部屋１２のカードリーダユニット３の発光パネル３１を、所定時間（例えば、１０秒間）だけ高い輝度の、例えばオレンジ色で点滅させる信号を当該カードリーダユニット３に送信する。ここで、受信したカード情報中のカード番号が２００５である場合は、部屋１２ｅおよび１２ｆのカードリーダユニット３の発光パネル３１が点滅する。次に、管理区域１０の入口の扉１３ｐを開けることができるように、制御ユニット５から電気錠４ｐへ解錠信号が送信される（Ｓ８）。その後、Ｓ１に戻る。
【００２８】
上述のように、カード１を読み取ったカードリーダユニット２の液晶パネル２１に、次に入室可能な部屋１２を示す案内メッセージが表示される。さらに、扉１３ｐから管区区域１０に入場すると、次に入室可能な部屋１２の入口のカードリーダユニット３の発光パネル３１が点滅している。このように、案内メッセージおよび発光パネル３１の点滅によって、次に入室可能な部屋１２、すなわち次に通行できる通行管理装置が案内されるので、カード利用者は、次に入室可能な部屋１２を極めて容易に知ることができる。上記のカードリーダユニット３の発光パネル３１の点滅は、当該カードリーダユニット３が設置された部屋１２が入室可能である旨を示す表示であり、カード利用者に対して入室可能である旨を示す合図ともいえる。
【００２９】
ここでは、カードリーダユニット２の液晶パネル２１に次に入室可能な部屋１２を示す案内メッセージを表示させると共に、次に入室可能な部屋１２のカードリーダユニット３の発光パネル３１を点滅させるようにしたが、いずれか一方のみを行うようにしてもよい。このようにしても、カード利用者は、次に入室可能な部屋を容易に知ることができる。また、入室可能である旨を分かりやすくするために発光パネル３１を高い輝度のオレンジ色で点滅させたが、普通の輝度で、あるいは他の色で点滅させるようにしてもよい。また、発光パネル３１の点滅に代えて、所定の色で発光パネル３１を点灯させることによって、入室可能である旨を表示するようにしてもよい。
【００３０】
Ｓ５において、次に入室可能な部屋１２がないと判定された場合（Ｓ５：ＮＯ）、例えば、受信したカード情報中のカード番号が１００１である場合は、図５（ｂ）に示すように、次に入室可能な部屋がない旨を示す案内メッセージを液晶パネル２１に表示する（Ｓ９）。さらに、読み取られたカード１は管理区域１０に入場可能なカードであるので、制御ユニット５から電気錠４ｐへ解錠信号が送信される（Ｓ８）。その後、Ｓ１に戻る。
【００３１】
Ｓ２において、部屋１２の入口に設置されたカードリーダユニット３からカード情報を受信したと判定された場合は（Ｓ２：ＮＯ）、受信したカード情報中のカード番号が、そのカード情報を読み取ったカードリーダ３が設置されている部屋１２に入室可能なカード番号としてカード番号テーブル８１に登録されているかを調べることによって、その部屋１２へ入室可能なカード１が読み取られたか否かを判定する（Ｓ１１）。入室可能なカード１ではない場合（Ｓ１１：ＮＯ）、例えば、カード番号２００１のカード１が部屋１２ｂの入口のカードリーダユニット３ｂで読み取られた場合は、そのカード１で入室できないことを示すために、制御ユニット５は、発光パネル３１を赤色で点灯させる信号を部屋１２ｂのカードリーダユニット３ｂに送信し（Ｓ１４）、Ｓ１に戻る。
【００３２】
入室可能なカード１である場合（Ｓ１１：ＹＥＳ）、例えば、カード番号２００１のカード１が部屋１２ａの入口に設置されたカードリーダユニット３ａで読み取られた場合は、そのカード１で入室できることを示すために、発光パネル３１を緑色で点灯させる信号を部屋１２ａのカードリーダユニット３ａに送信する（Ｓ１２）。さらに、制御ユニット５から電気錠４ａへ解錠信号が送信される（Ｓ１３）。この結果、カード利用者は、部屋１２ａの扉１３ａを開け、入口を通行して入室することができる。その後、Ｓ１に戻る。
【００３３】
次に、図８〜図１２を参照して本発明の第２の実施形態を説明する。図８は第２の実施形態の通行管理システムを示す図であり、同一物については先の実施形態と同じ符号が付されている。図１に示す先の実施形態では、管理区域１０の入口に電気錠４ｐが設けられており、部屋１２ａ〜１２ｆに入室する前に、電気錠４ｐを解錠しなければならなかった。それに対し、本実施形態では、部屋１２だけが管理区域１０であり、部屋１２の入口までは誰でも自由に通行することができる。また、本実施形態では、図３に示すカードリーダユニット３とは異なるカードリーダユニット７が部屋１２の入口に設置されている。
【００３４】
図９はカードリーダユニット７の外観を示す正面図である。図において、７０はカードリーダユニット７の本体、７１は液晶パネル、７２はカードリーダ、７３はＯＫランプ、７４はＮＧランプ、７５はパワーランプ、７６は発光パネルである。上記の７０〜７５は、それぞれ図２に示すカードリーダユニット２の２０〜２５と同一物である。つまり、カードリーダユニット７はカードリーダユニット２に発光パネル７６を追加したものである。発光パネル７６は、図３に示すカードリーダユニット３の発光パネル３１と同様な機能を備えている。また、発光パネル７６の構造は、発光パネル３１と同じ構造であっても異なる構造であってもよい。上記の液晶パネル７１、ＯＫランプ７３、ＮＧランプ７４および発光パネル７６が本発明の表示部に相当する。
【００３５】
また、先の実施形態では、管理区域１０の入口のカードリーダユニット２でカード１が読み取られたときに、次に入室可能な部屋１２を液晶パネル２１に表示するようにしていた。本実施形態では、いずれかの部屋１２の入口のカードリーダユニット７でカード１が読み取られたときに、他の入室可能な部屋１２を液晶パネル７１に表示するようにしている。
【００３６】
図１０は、本実施形態におけるカード番号テーブルの例を示す図である。図１０（ａ）に示すカード番号テーブル８２、図１０（ｂ）に示すカード番号テーブル８３などを用いることができる。カード番号テーブル８２では、カード番号の欄に部屋１２ａ〜１２ｆのいずれかに入室可能なカード番号が登録されており、各部屋１２ａ〜１２ｆの欄には登録されたカード番号のカード１で当該部屋１２ａ〜１２ｆに入室可能であるか否かが設定されている。カード番号テーブル８３では、各部屋１２ａ〜１２ｆの欄に当該部屋１２ａ〜１２ｆに入室可能なカード１のカード番号が登録されている。
【００３７】
図１１は本実施形態の通行管理システムの動作を示すフローチャートである。また、制御ユニット５のメモリー５１に格納されたプログラムをＣＰＵ５０が実行することによって、以下に説明する動作が実現される点は先の実施形態と同様である。まず、カードリーダユニット７が読み取ったカード情報を受信するまで受信の有無を繰返し確認する（Ｓ２１）。カード情報を受信すると（Ｓ２１：ＹＥＳ）、カード番号テーブル８３を調べることによって、受信したカード情報にかかるカード１が、そのカード１を読み取ったカードリーダ７が設置されている部屋１２へ入室可能なカードであるか否かを判定する（Ｓ２２）。
【００３８】
入室可能なカードである場合（Ｓ２２：ＹＥＳ）、例えば、カード番号２００１のカード１が部屋１２ａの入口のカードリーダユニット７ａで読み取られた場合は、制御ユニット５は、ＯＫランプ７３を点灯させる信号を部屋１２ａのカードリーダユニット７ａに送信する（Ｓ２３）。さらに、制御ユニット５から部屋１２ａの電気錠４ａへ解錠信号が送信される（Ｓ２４）。その後、Ｓ２６に進む。入室可能なカードではない場合（Ｓ２２：ＮＯ）、例えば、カード番号２００１のカード１が部屋１２ｂの入口のカードリーダユニット７ｂで読み取られた場合は、制御ユニット５は、ＮＧランプ７４を点灯させる信号を部屋１２ｂのカードリーダユニット７ｂに送信し（Ｓ２５）、Ｓ２６に進む。
【００３９】
Ｓ２６では、カード番号テーブル８３を調べることによって、カード１を読み取ったカードリーダユニット７が設置された部屋１２以外にも、そのカード１で入室できる部屋１２（他の入室可能な部屋１２）があるか否かを判定する（Ｓ２６）。他の入室可能な部屋１２がない場合（Ｓ２６：ＮＯ）、例えば、カード番号２００１のカード１が部屋１２ａの入口のカードリーダユニット７ａで読み取られた場合は、図５（ｂ）と同様の、他の入室可能な部屋がない旨を示す案内メッセージを液晶パネル７１に表示し（Ｓ２９）、Ｓ２１に戻る。
【００４０】
他の入室可能な部屋１２がある場合（Ｓ２６：ＹＥＳ）、例えば、カード番号２００５のカード１が部屋１２ａの入口のカードリーダユニット７ａで読み取られた場合は、図５（ａ）と同様の、他の入室可能な部屋１２ｅおよび１２ｆを示す案内メッセージを液晶パネル７１に表示する（Ｓ２７）。さらに、発光パネル７６を輝度の高い、例えばオレンジ色で点滅させる信号を他の入室可能な部屋１２ｅおよび１２ｆのカードリーダユニット７に送信し（Ｓ２８）、Ｓ２１に戻る。
【００４１】
上述のように、カード１が部屋１２の入口のカードリーダユニット７で読み取られ、そのカード１で入室できる他の入室可能な部屋１２がある場合は、他の入室可能な部屋１２を示す案内メッセージが、カード１を読み取ったカードリーダユニット７の液晶パネル７１に表示される。さらに、他の入室可能な部屋１２のカードリーダ７の発光パネル７６が点滅する。このように、案内メッセージおよび発光パネル７６の点滅によって、他の入室可能な部屋１２、すなわち他の通行できる通行管理装置が案内されるので、カード１が入室不可能な部屋１２のカードリーダユニット７で読み取られた場合には、カード利用者は他の入室可能な部屋１２を極めて容易に知ることができる。また、カード１が入室可能な部屋１２の入口のカードリーダユニット７で読み取られた場合であっても、カード利用者は他の入室可能な部屋１２を極めて容易に知ることができるので、入室可能な部屋１２が複数あるときに有益である。
【００４２】
上記の説明では、他の入室可能な部屋１２を示す案内メッセージを液晶パネル７１に表示させると共に、他の入室可能な部屋１２のカードリーダ７の発光パネル７６を点滅させるようにしたが、いずれか一方のみを行うようにしてもよい。このようにしても、カード利用者は他の入室可能な部屋１２を容易に知ることができる。また、上記の説明では、カード１が部屋１２の入口のカードリーダユニット７で読み取られた場合に、そのカード１がその部屋１２に入室可能なカードであるか否かに関係なく、上記の案内メッセージの表示および発光パネル７６の点滅を行うようにしたが、そのカード１がその部屋１２に入室不可能なカードである場合にのみ、上記の案内メッセージの表示および発光パネル７６の点滅を行うようにしてもよい。
【００４３】
尚、部屋１２へ出入りする人が多い使用環境では、複数のカードリーダユニット７で別々のカード１が略同時に読み取られることがある。このような場合、他の入室可能な部屋１２のカードリーダ７の発光パネル７６が点滅しても、どのカード１で入室可能な部屋１２であるかが判別できない。そこで、カード１が読み取られた部屋１２のカードリーダユニットの発光パネル７６に、他の入室可能な部屋の発光パネル７６が点滅する色と同じ色を点灯させるようにする。ここでは、部屋１２ａのカードリーダユニット７ａで読み取られたカード１が部屋１２ｂ、１２ｅに入室可能なカードであり、部屋１２ｄのカードリーダユニット７ｄで読み取られたカード１が部屋１２ａ、１２ｅに入室可能なカードであるとする。
【００４４】
図１２は、各部屋１２ａ〜１２ｆのカードリーダユニット７ａ〜７ｆの発光パネル７６ａ〜７６ｆが点灯または点滅する色を示す図である。発光パネル７６ａの面積の小さい中央部を低い輝度のオレンジ色で点灯させる。また、発光パネル７６ｄの中央部を低い輝度の青色で点灯させる。つまり、カードリーダユニット７ａで読み取られたカード１およびカードリーダユニット７ｄで読み取られたカード１をそれぞれ発光パネル７６ａおよび７６ｄの中央部が点灯する色で特定する。
【００４５】
そして、上記のカード１を特定する色に対応付けて、カードリーダユニット７ａで読み取られたカード１で入室可能な部屋１２ｂ、１２ｅの発光パネル７６ｂ、７６ｅの面積の大きい周辺部を高い輝度のオレンジ色で点滅させる。また、カードリーダユニット７ｄで読み取られたカード１で入室可能な部屋１２ａ、１２ｅの発光パネル７６ａ、７６ｅの周辺部を高い輝度の青色で点滅させる。部屋１２ｅは、カードリーダユニット７ａおよび７ｄで読み取られたカード１で入室可能であるので、発光パネル７６ｅの周辺部の半分はオレンジ色で点滅し、残りの半分は青色で点滅する。
【００４６】
尚、発光パネル７６の周辺部で点滅する色の種類は２つに限定されるものではなく、略同時に３つのカードリーダユニット７でカード１が読み取られたような場合は、発光パネル７６の周辺部が３分割され、各部分でオレンジ色、青色、紫色が点滅するようにする。また、上記のように、発光パネル７６の中央部を、他の入室可能な部屋１２の発光パネル７６が点滅する色と同じ色で点灯させる代わりに、他の入室可能な部屋１２の発光パネル７６が点滅する色の種類を液晶パネル７１に表示するようにしてもよい。この場合は、カードリーダユニット７ａで読み取られたカード１およびカードリーダユニット７ｄで読み取られたカード１は、それぞれ液晶パネル７１に表示される色の種類で特定されることになる。
【００４７】
以上述べた第１および第２の実施形態においては、通行管理システムは部屋１２の入口に設置されたカードリーダユニット３、電気錠４などで構成されていたが、通行管理システムが複数の通行ゲート装置で構成される場合であっても、本発明を実施することができる。図１３（ａ）は１台の通行ゲート装置の平面図であり、図１３（ｂ）は通行ゲート装置の正面図である。図において、１１１は管理区域、１１２は非管理区域、１１３は管理区域１１１と非管理区域１１２を仕切る隔壁である。１００ａ，１００ｂは通行ゲート装置の本体、１０１ａはカードリーダ、１０２ａは液晶パネル、１０４ａ、１０４ｂは開閉可能な扉、１０５，１０６は通路１１０を通行する人を検出するための通行検出センサ、１０７ａは表示灯である。尚、扉１０３ａ，１０３ｂについては説明を省略する。
【００４８】
管理区域１１１に入場可能なカード１がカードリーダ１０１ａで読み取られ、カード利用者の通行が入口側の通行検出センサ１０５で検出されると、扉１０４ａ，１０４ｂが矢印Ａで示すように開く。そして、カード利用者の通過が出口側の通行検出センサ１０６で検出されると、扉１０４ａ，１０４ｂが閉まる。このとき、液晶パネル１０２ａには、カードリーダ１０１ａで読み取られたカード１による入場の可否、および次に通行可能な通行ゲート装置（または、他の通行可能な通行ゲート装置）を示す案内メッセージが表示される。さらに、次に通行可能な通行ゲート装置（または、他の通行可能なゲート装置）の表示灯１０７ａが所定の色で点滅する。つまり、液晶パネル１０２ａは、カードリーダユニット２、７の液晶パネル２１、７１、ＯＫランプ２３、７３およびＮＧランプ２４、７４に相当する。表示灯１０７ａは、カードリーダユニット３の発光パネル３１またはカードリーダユニット７の発光パネル７６に相当する。
【００４９】
また、上記第１および第２の実施形態では、本発明の表示部の例として、液晶パネル２１，７１、ＯＫランプ２３，７３、ＮＧランプ２４，７４、および発光パネル３１，７６を示したが、各表示部の構造および機能は上記のものに限定されるものではない。例えば、発光パネル３１，７６の代わりに、緑色で点灯するランプと赤色で点灯するランプと１６種類程度の色で点滅するランプとからなる表示部を用いることもできる。
【００５０】
さらに、上記第１および第２の実施形態では、通行媒体としてアンテナコイルとＩＣチップとを内蔵した非接触型のカード１を用いる場合について説明したが、通行媒体が磁気カードや接触型のＩＣカードなどであっても本発明を実施することができる。さらに、上記第１および第２の実施形態では、１つの制御ユニット５で全てのカードリーダユニット２，３，７および電気錠４を制御するようにした。これに代えて、１台ずつのカードリーダユニット２，３，７および電気錠４ごとに制御部を設け、制御部ごとにカード番号テーブルを記憶させ、カード番号テーブルを制御部間で相互に参照すると共に、発光パネル３１，７６を点滅させる信号などを制御部間で送受信するようにしても、本発明を実施することができる。
【図面の簡単な説明】
【００５１】
【図１】第１の実施形態の通行管理システムを示す図である。
【図２】管理区域の入口のカードリーダユニットの外観を示す正面図である。
【図３】部屋の入口のカードリーダユニットの外観を示す正面図である。
【図４】制御ユニットのブロック図である。
【図５】案内メッセージを示す図である。
【図６】カード番号テーブルの一例を示す図である。
【図７】通行管理システムの動作を示すフローチャートである。
【図８】第２の実施形態の通行管理システムを示す図である。
【図９】第２の実施形態で用いるカードリーダユニットの外観を示す正面図である。
【図１０】第２の実施形態のカード番号テーブルの例を示す図である。
【図１１】第２の実施形態の動作を示すフローチャートである。
【図１２】第２の実施形態の発光パネルが点灯または点滅する色を示す図である。
【図１３】通行管理装置の１つである通行ゲート装置を示す図である。
【符号の説明】
【００５２】
１    カード
２    カードリーダユニット
３，３ａ〜３ｆ  カードリーダユニット
４，４ａ〜４ｆ，４ｐ  電気錠
５    制御ユニット
７，７ａ〜７ｆ  カードリーダユニット
１０  管理区域
１２，１２ａ〜１２ｆ  部屋
１３，１３ａ〜１３ｆ，１３ｐ  扉
２１，７１  液晶パネル（表示部）
２２，３２，７２  カードリーダ
２３，７３  ＯＫランプ（表示部）
２４，７４  ＮＧランプ（表示部）
３１，７６，７６ａ〜７６ｆ  発光パネル（表示部）
８１〜８３  カード番号テーブル
【図１】
2006016847.tif 000003
【図２】
2006016847.tif 000004
【図３】
2006016847.tif 000005
【図４】
2006016847.tif 000006
【図５】
2006016847.tif 000007
【図６】
2006016847.tif 000008
【図７】
2006016847.tif 000009
【図８】
2006016847.tif 000010
【図９】
2006016847.tif 000011
【図１０】
2006016847.tif 000012
【図１１】
2006016847.tif 000013
【図１２】
2006016847.tif 000014
【図１３】
2006016847.tif 000015